【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
原稿画像を読み取る読み取り手段と、
読み取り手段により読み取られた画像情報をファイル単位で蓄積する蓄積手段と、
蓄積済みのファイルの削除を指示する手段と、
前記蓄積手段が満杯になったことを検知する満杯検知手段とを有し、
前記蓄積手段の満杯を検知した際に、満杯であることを表示し、蓄積済みファイルの中から削除するファイルの選択を受け付ける
ことを特徴とする画像形成装置。
【請求項２】
蓄積済みファイルを蓄積日時が最も古いものから順にソートして表示し、前記蓄積済みファイルの中から削除するファイルの選択を受け付ける
ことを特徴とする請求項１に記載の画像形成装置。
【請求項３】
蓄積済みファイルを印刷済みのファイルを優先して表示し、前記蓄積済みファイルの中から削除するファイルの選択を受け付ける
ことを特徴とする請求項１に記載の画像形成装置。
【請求項４】
入力された画像情報をファイルとして蓄積する蓄積手段と、
前記蓄積手段のデータ蓄積許容量の満杯状態を検知する満杯検知手段と、
前記満杯検知手段が前記満杯状態を検知した際に、ファイルの途中まで蓄積できた原稿情報を保持するとともに、蓄積済みのファイルの中から選択したファイルを削除する画面を表示する手段と、
を有することを特徴とする画像形成装置。
【請求項５】
入力された画像情報をファイルとして蓄積する蓄積手段と、
前記蓄積手段のデータ蓄積許容量の満杯状態を検知する満杯検知手段と、
前記満杯検知手段が前記満杯状態を検知した際に、ファイルの途中まで蓄積できた原稿情報を破棄するとともに、蓄積済みのファイルの中から選択したファイルを削除する画面を表示する手段と、
を有することを特徴とする画像形成装置。
【請求項６】
入力された画像情報をファイルとして蓄積する蓄積手段と、
前記蓄積手段のデータ蓄積許容量の満杯状態を検知する満杯検知手段と、
前記満杯検知手段が前記満杯状態を検知した際に、ファイルの途中まで蓄積できた原稿情報を保持するか否か選択する画面を表示する手段と、
を有することを特徴とする画像形成装置。
【請求項７】
読み取り手段により読み取られた原稿画像の画像情報をファイル単位で蓄積手段に蓄積するステップと、
前記蓄積手段が満杯になったことを検知するステップとを有し、
前記蓄積手段の満杯を検知した際に、満杯であることを表示し、蓄積済みファイルの中から削除するファイルの選択を受け付ける
ことを特徴とする画像形成装置における画像情報の処理方法。
【請求項８】
蓄積済みファイルを蓄積日時が最も古いものから順にソートして表示し、前記蓄積済みファイルの中から削除するファイルの選択を受け付ける
ことを特徴とする請求項７に記載の画像形成装置における画像情報の処理方法。
【請求項９】
蓄積済みファイルを印刷済みのファイルを優先して表示し、前記蓄積済みファイルの中から削除するファイルの選択を受け付ける
ことを特徴とする請求項７に記載の画像形成装置における画像情報の処理方法。
【請求項１０】
入力された画像情報をファイルとして蓄積手段に蓄積するステップと、
前記蓄積手段のデータ蓄積許容量の満杯状態を検知するステップと、
前記満杯状態を検知した際に、ファイルの途中まで蓄積できた原稿情報を保持し、蓄積済みのファイルの中から選択したファイルを削除する画面を表示するステップと、
を有することを特徴とする画像形成装置における画像情報の処理方法。
【請求項１１】
入力された画像情報をファイルとして蓄積手段に蓄積するステップと、
前記蓄積手段のデータ蓄積許容量の満杯状態を検知するステップと、
前記満杯状態を検知した際に、ファイルの途中まで蓄積できた原稿情報を破棄し、蓄積済みのファイルの中から選択したファイルを削除する画面を表示するステップと、
を有することを特徴とする画像形成装置における画像情報の処理方法。
【請求項１２】
入力された画像情報をファイルとして蓄積手段に蓄積するステップと、
前記蓄積手段のデータ蓄積許容量の満杯状態を検知するステップと、
前記満杯状態を検知した際に、ファイルの途中まで蓄積できた原稿情報を保持するか否か選択する画面を表示するステップと、
を有することを特徴とする画像形成装置における画像情報の処理方法。
【手続補正２】
【補正対象書類名】明細書
【補正対象項目名】全文
【補正方法】変更
【補正の内容】
【発明の詳細な説明】
【発明の名称】画像形成装置
【技術分野】
【０００１】
本発明は、画像形成装置に関し、特に、画像情報を記憶装置に蓄えた後に印刷することのできる画像形成装置に関する。
【背景技術】
【０００２】
従来、画像情報を出力するホストコンピュータとネットワークを介して接続することのできる画像形成装置が開示されている。このようなの画像形成装置としては、例えば、特開昭６３−１８７７６６号公報に示すような端末装置がある（第１従来技術）。
【０００３】
すなわち、第１従来技術は、画像情報を出力するホストコンピュータとネットワークを介して接続され、ホストコンピュータからネットワークを介して送信された画像情報をハードディスクドライブなどの記憶装置に記憶させた後に印刷するものであって、印刷順番は、ホストコンピュータから送られた画像情報を受け付け順番や画一的な優先度などに従って逐次印刷を実行していた。このとき、ホストコンピュータから個別に送られた画像情報はそれぞれ独立したものとして扱われていた。
【特許文献１】特開昭６３−１８７７６６号公報
【発明の開示】
【発明が解決しようとする課題】
【０００４】
しかしながら、第１従来技術では、印刷順番はホストコンピュータから送られた画像情報を受け付け順番や画一的な優先度などに従って逐次印刷を実行され、ホストコンピュータから個別に送られた画像情報はそれぞれ独立したものであるため、それらを併合して印刷することが難しいという技術的課題があった。
【０００５】
本発明は、このような従来の問題点を解決することを課題としており、特に、画像情報を蓄積する場合にメモリが満杯状態となったときであっても、使い勝手の良い画像形成装置を提供することを目的としている。
【課題を解決するための手段】
【０００６】
上記課題を解決するため成された請求項１に記載の発明は、原稿画像を読み取る読み取り手段と、読み取り手段により読み取られた画像情報をファイル単位で蓄積する蓄積手段と、蓄積済みのファイルの削除を指示する手段と、前記蓄積手段が満杯になったことを検知する満杯検知手段とを有し、前記蓄積手段の満杯を検知した際に、満杯であることを表示し、蓄積済みファイルの中から削除するファイルの選択を受け付けることを特徴とする画像形成装置である。
【０００７】
請求項１に記載の発明によれば、メモリが満杯になった場合でも、他のファイルを削除することで原稿の読み取り動作を継続することができ、それまでに読み込んだ原稿画像を無駄にしないですみ、機器の操作性を向上できるようになる。
【０００８】
また、請求項２に記載の発明は、請求項１に記載の画像形成装置であって、蓄積済みファイルを蓄積日時が最も古いものから順にソートして表示し、前記蓄積済みファイルの中から削除するファイルの選択を受け付けることを特徴とする。
【０００９】
請求項２に記載の発明によれば、請求項１に記載の効果に加えて、蓄積日時が古いファイルから順にソートしてファイルリストを表示するため、削除対象のファイルを容易に選択できるようになり、機器の操作性が向上するとともに、不要である可能性がより高いファイルを消去することが可能となる。
【００１０】
また、請求項３に記載の発明は、請求項１に記載の画像形成装置であって、蓄積済みファイルを印刷済みのファイルを優先して表示し、前記蓄積済みファイルの中から削除するファイルの選択を受け付けることを特徴とする。
【００１１】
請求項３に記載の発明によれば、請求項１に記載の効果に加えて、印刷済みのファイルを優先してファイルリストを表示するため、削除対象のファイルを容易に選択できるようになり、機器の操作性が向上するとともに、不要である可能性がより高いファイルを消去することが可能となる。
【００１２】
また、請求項４に記載の発明は、入力された画像情報をファイルとして蓄積する蓄積手段と、前記蓄積手段のデータ蓄積許容量の満杯状態を検知する満杯検知手段と、前記満杯検知手段が前記満杯状態を検知した際に、ファイルの途中まで蓄積できた原稿情報を保持するとともに、蓄積済みのファイルの中から選択したファイルを削除する画面を表示する手段と、を有することを特徴とする画像形成装置である。
【００１３】
請求項４に記載の発明によれば、メモリ満杯状態が発生した際に特に何も指示しなくても、メモリに蓄積できた画像をそのまま保持しているため、メモリ容量の限界まで利用することが容易となる。
【００１４】
また、請求項５に記載の発明は、入力された画像情報をファイルとして蓄積する蓄積手段と、前記蓄積手段のデータ蓄積許容量の満杯状態を検知する満杯検知手段と、前記満杯検知手段が前記満杯状態を検知した際に、ファイルの途中まで蓄積できた原稿情報を破棄するとともに、蓄積済みのファイルの中から選択したファイルを削除する画面を表示する手段と、を有することを特徴とする画像形成装置である。
【００１５】
請求項５に記載の発明によれば、メモリ満杯状態が発生した際に特に何も指示しなくても、ファイルの途中までしか蓄積できなかった中途半端な画像は破棄されるため、全ページの揃っていない不完全なファイルがメモリに存在し続ける心配がなくなる。
【００１６】
また、請求項６に記載の発明は、入力された画像情報をファイルとして蓄積する蓄積手段と、前記蓄積手段のデータ蓄積許容量の満杯状態を検知する満杯検知手段と、前記満杯検知手段が前記満杯状態を検知した際に、ファイルの途中まで蓄積できた原稿情報を保持するか否か選択する画面を表示する手段と、を有することを特徴とする画像形成装置である。
【００１７】
請求項６に記載の発明によれば、メモリが満杯になった場合に、途中まで読み込んだ原稿画像をそのまま保持するか、あるいは破棄するかを、原稿の内容に応じてユーザが選択できるようになり、ユーザニーズに応えることができるようになる。
【００１８】
また、請求項７に記載の発明は、読み取り手段により読み取られた原稿画像の画像情報をファイル単位で蓄積手段に蓄積するステップと、前記蓄積手段が満杯になったことを検知するステップとを有し、前記蓄積手段の満杯を検知した際に、満杯であることを表示し、蓄積済みファイルの中から削除するファイルの選択を受け付けることを特徴とする画像形成装置における画像情報の処理方法である。
【００１９】
請求項７に記載の発明によれば、請求項１と同様な作用効果が得られる。
【００２０】
また、請求項８に記載の発明は、請求項７に記載の画像形成装置における画像情報の処理方法であって、蓄積済みファイルを蓄積日時が最も古いものから順にソートして表示し、前記蓄積済みファイルの中から削除するファイルの選択を受け付けることを特徴とする。
【００２１】
請求項８に記載の発明によれば、請求項２と同様な作用効果が得られる。
【００２２】
また、請求項９に記載の発明は、請求項７に記載の画像形成装置における画像情報の処理方法であって、蓄積済みファイルを印刷済みのファイルを優先して表示し、前記蓄積済みファイルの中から削除するファイルの選択を受け付けることを特徴とする。
【００２３】
請求項９に記載の発明によれば、請求項３と同様な作用効果が得られる。
【００２４】
また、請求項１０に記載の発明は、入力された画像情報をファイルとして蓄積手段に蓄積するステップと、前記蓄積手段のデータ蓄積許容量の満杯状態を検知するステップと、前記満杯状態を検知した際に、ファイルの途中まで蓄積できた原稿情報を保持し、蓄積済みのファイルの中から選択したファイルを削除する画面を表示するステップと、を有することを特徴とする画像形成装置における画像情報の処理方法である。
【００２５】
請求項１０に記載の発明によれば、請求項４と同様な作用効果が得られる。
【００２６】
また、請求項１１に記載の発明は、入力された画像情報をファイルとして蓄積手段に蓄積するステップと、前記蓄積手段のデータ蓄積許容量の満杯状態を検知するステップと、前記満杯状態を検知した際に、ファイルの途中まで蓄積できた原稿情報を破棄し、蓄積済みのファイルの中から選択したファイルを削除する画面を表示するステップと、を有することを特徴とする画像形成装置における画像情報の処理方法である。
【００２７】
請求項１１に記載の発明によれば、請求項５と同様な作用効果が得られる。
【００２８】
また、請求項１２に記載の発明は、入力された画像情報をファイルとして蓄積手段に蓄積するステップと、前記蓄積手段のデータ蓄積許容量の満杯状態を検知するステップと、前記満杯状態を検知した際に、ファイルの途中まで蓄積できた原稿情報を保持するか否か選択する画面を表示するステップと、を有することを特徴とする画像形成装置における画像情報の処理方法である。
【００２９】
請求項１２に記載の発明によれば、請求項６と同様な作用効果が得られる。
【発明の効果】
【００３０】
請求項１または７に記載の発明によれば、メモリが満杯になった場合でも、他のファイルを削除することで原稿の読み取り動作を継続することができ、それまでに読み込んだ原稿画像を無駄にしないですみ、機器の操作性を向上できるようになる。
【００３１】
請求項２または８に記載の発明によれば、請求項１に記載の効果に加えて、蓄積日時が古いファイルから順に表示するため、削除対象のファイルを容易に選択できるようになり、機器の操作性が向上するとともに、不要である可能性がより高いファイルを消去することが可能となる。
【００３２】
請求項３または９に記載の発明によれば、請求項１に記載の効果に加えて、印刷済みのファイルを優先して表示するため、削除対象のファイルを容易に選択できるようになり、機器の操作性が向上するとともに、不要である可能性がより高いファイルを消去することが可能となる。
【００３３】
請求項４または１０に記載の発明によれば、メモリ満杯状態が発生した際に特に何も指示しなくても、メモリに蓄積できた画像をそのまま保持しているため、メモリ容量の限界まで利用することが容易となる。
【００３４】
請求項５または１１に記載の発明によれば、メモリ満杯状態が発生した際に特に何も指示しなくても、ファイルの途中までしか蓄積できなかった中途半端な画像は破棄されるため、全ページの揃っていない不完全なファイルがメモリに存在し続ける心配がなくなる。
【００３５】
請求項６または１２に記載の発明によれば、メモリが満杯になった場合に、途中まで読み込んだ原稿画像を保持するか破棄するかを原稿の内容に応じてユーザが選択できるようになり、ユーザニーズに応えることができるようになる。
【発明を実施するための最良の形態】
【００３６】
以下、本発明の実施形態を図面を参照して説明する。
【００３７】
図１は、システムの全体構成図である。
【００３８】
スキャナ機能及びプリンタ機能を備えた画像形成装置Ａと外部機器としてのＰＣ（パーソナルコンピュータＰＣの略）等のホストコンピュータからのプリントデータをＬＡＮ（ローカルエリアネットワークの略）及びパラレルＩ／Ｆ（インタフェースの略）を通じて出力できるシステム構成を示している。
【００３９】
図２は、図１のシステムに接続されている画像形成装置Ａの一実施形態を示す構成図である。
【００４０】
自動原稿送り装置（以下、ＡＤＦという）にある、原稿台２に原稿の画像面を上にして置かれた原稿束は、操作部３０上のスタートキー［スタート］３４が押下されると、一番下の原稿から給送ローラ３、給送ベルト４によってコンタクトガラス６上の所定の位置に給送される。
【００４１】
読み取りユニット（読み取り手段）５０によってコンタクトガラス６上の原稿の画像情報（原稿情報）を読み取り後、読み取りが終了した原稿は、給送ベルト４及び排送ローラ５によって排出される。
【００４２】
さらに、原稿セット検知７にて原稿台２に次の原稿があることを検知した場合、前原稿と同様にコンタクトガラス６上に給送される。給送ローラ３、給送ベルト４、排送ローラ５はモータ３０によって駆動される。
【００４３】
第１トレイ８、第２トレイ９，第３トレイ１０に積載された転写紙（記録媒体）は、各々、第１給紙装置１１、第２給紙装置１２、第３給紙装置１３によって給紙され、縦搬送ユニット１４によって感光体１５に当接する位置まで搬送される。
【００４４】
読み取りユニット（読み取り手段）５０にて読み込まれた原稿の画像データ（原稿情報）は、書き込みユニット５７からのレーザーによって感光体１５に書き込まれ、現像ユニット２７を通過することによってトナー像が形成される。
【００４５】
そして、転写紙（記録媒体）は、プリンタエンジン（印刷手段）の感光体１５の回転と等速で搬送ベルト１６によって搬送されながら、感光体１５上のトナー像が転写される。その後、プリンタエンジン（印刷手段）の定着ユニット１７にて画像を定着させ、排紙ユニット１８によって後処理装置のフィニシャ１００に排出される。
【００４６】
後処理装置のフィニシャ１００は、本体の排紙ローラ１９によって搬送された転写紙（記録媒体）を、通常排紙ローラ１０２方向と、ステープル処理部方向に導くことができる。
【００４７】
切り替え板１０１を上に切り替えることにより、搬送ローラ１０３を経由して通常排紙トレイ１０４側に排紙することができる。
【００４８】
また、切り替え板１０１を下方向に切り替えることで、搬送ローラ１０５，１０７を経由して、ステープル台１０８に搬送することができる。
【００４９】
ステープル台１０８に積載された転写紙（記録媒体）は、一枚排紙される毎に紙揃え用のジョガー１０９によって、紙端面が揃えられ、一部のコピー完了とともにステープラ１０６によって綴じられる。
【００５０】
ステープラ１０６で綴じられた転写紙（記録媒体）群は自重によって、ステープル完了排紙トレイ１１０に収納される。
【００５１】
一方、通常の排紙トレイ１０４は前後に移動可能な排紙トレイである。前後に移動可能な排紙トレイ１０４は、原稿毎、あるいは、画像メモリー（蓄積手段）６６によってソーティングされたコピー部毎に、前後に移動し、簡易的に排出されてくるコピー紙を仕分けるものである。
【００５２】
転写紙（記録媒体）の両面に画像を作像する場合は、各給紙トレイ８〜１０から給紙され作像された転写紙（記録媒体）を排紙トレイ１０４側に導かないで、経路切り替えのための分岐爪１１２を上側にセットすることで、一旦両面給紙ユニット１１１にストックする。
【００５３】
その後、両面給紙ユニット１１１にストックされた転写紙（記録媒体）は再び感光体１５に作像されたトナー画像を転写するために、両面給紙ユニット１１１から再給紙され、経路切り替えのための分岐爪１１２を下側にセットし、排紙トレイ１０４に導く。このように転写紙（記録媒体）の両面に画像を作成する場合に両面給紙ユニット１１１は使用される。
【００５４】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００５５】
図３は、図２の画像形成装置に設けられている操作部３０の構成図である。
【００５６】
操作部３０は、液晶タッチパネル３１、テンキー３２、クリア／ストップキー３３、スタートキー［スタート］３４、モードクリアキー３５、テスト印刷キー［印刷］２００があり、液晶タッチパネル３１には、機能キー３７、部数、及び画像形成装置Ａの状態を示すメッセージなどが表示される。
【００５７】
テスト印刷キー２００は、設定されている印刷部数に関わらず１部だけを印刷し、印刷結果を確認するためのキーである。
【００５８】
また、キー３９は、コピー機能、プリンタ機能、蓄積コピー機能を切り替えるキーである。
【００５９】
コピー機能は、スキャナで読み取った画像の情報（原稿情報）を転写紙（記録媒体）に指定された動作で複写する機能である。
【００６０】
プリンタ機能は、外部からＬＡＮ及びパラレルＩ／Ｆ等で接続され、外部からの画像情報（原稿情報）を蓄積して、機械の操作でプリントできる機能である。
【００６１】
蓄積コピー機能とは、スキャナで読み取った画像や、外部からの画像データを蓄積して、機械の操作でプリントできる機能である。
【００６２】
図４は、操作部３０の液晶タッチパネル３１の一表示形態を示した図であって、同図（ａ）は、コピー機能を選択設定する表示画面であり、同図（ｂ）は、プリンタ機能用の操作表示画面であり、同図（ｃ）は、蓄積コピー機能用の操作画面である。
【００６３】
オペレータが液晶タッチパネル３１に表示されたキーにタッチすることで、選択された機能を示すキーが黒く反転する。
【００６４】
また、機能の詳細を指定しなければならない場合（例えば変倍であれば変倍値等）は、キーにタッチすることで、詳細機能の設定画面が表示される。このように、液晶タッチパネルは、ドット表示器を使用しているため、そのときの最適な表示をグラフィカルに行うことが可能である。
【００６５】
図４（ａ）に示すように、図３において左上は、「コピーできます」「お待ちください」等のメッセージを表示するメッセージエリア、その右は、セットした枚数を表示するコピー枚数表示部、その下は画像濃度を自動的に調整する自動濃度キー、転写紙（記録媒体）を自動的に選択する自動用紙選択キー、コピーを一部ずつページ順に揃える処理を指定するソートキー［ソート］、コピーをページ毎に仕分けする処理を指定するスタックキー［スタック］、ソート処理されたものを一部ずつ綴じる処理を指定するステープルキー、倍率を等倍にセットする等倍キー［等倍］、拡大／縮小倍率をセットする変倍キー［変倍］、両面モードを設定する両面キー［両面］、綴じ代モード等を設定する消去／移動キー［消去／移動］、スタンプや日付やページ等の印字を設定する印字キー［印字］である。なお、図４（ａ）〜（ｃ）において、選択されているモードはキーが網掛け表示されている。
【００６６】
図４（ｂ）に示すように、印刷要求の許可を設定するオンライン／オフラインキー［オンライン］，［オフライン］、データイン状態で排出されていない画像を強制排出する強制排出キー［強制排出］、画像情報（原稿情報）のデータ入力状態を示すデータインキー［データイン］、転写紙（記録媒体）のセット状況を知らせるキー［Ａ４］，［Ａ４Ｒ］，［Ａ３］，［Ｂ５］がある。
【００６７】
図５は、操作部３０の液晶タッチパネル３１の一表示形態を示した図であって、同図（ａ）は、蓄積コピー機能用の操作表示画面であり、同図（ｂ）は、蓄積コピー機能用の操作表示画面であり、同図（ｃ）は、ファイルを削除する場合の削除ファイルを選択する画面である。
【００６８】
転送された画像のユーザ名、ファイル名、ページ数、登録時刻が表示される。網掛け表示部は出力指定されたファイルを示し、順の項目はその印刷順を示している。個々の出力指定は複数設定可能で設定順に出力を行う。
【００６９】
印刷キー［印刷］は、設定したファイルを印刷する画面（図５（ａ））へ移行させるためのキーである。
【００７０】
読み取りキー［読み取り］は、スキャナから画像を蓄積させるための画面に移行するためのキーである。
【００７１】
取り消しキー［取消］は、出力のために設定したファイル選択を解除するためのキーである。
【００７２】
上下キー［↑↓］は、ファイル数が一度に表示できるファイル数を越えた場合に、画面をスクロールするためのキーである。
【００７３】
削除キー［削除］は選択ファイルを削除するためのキーである。
【００７４】
図５（ａ）に示すように、出力条件を設定し、コピー動作を印字キー［印字］にて開始できる。複数のファイルを設定した場合は設定順につながったひとかたまりの画像群として処理される。よって、ステープルのモード設定をすると、ファイル毎ではなく、全画像に対してステープルされる。
【００７５】
図５（ｂ）に示すように、各モードを設定し、スタートキー［スタート］にて読み込み動作が開始される。このファイルのユーザ名、ファイル名は、自動的に表示のように設定される。ファイルが複数ある場合はファイル名を区別できるようにネーミングされる。読み込み終了キーで読み込み動作が終了し、ファイルが閉じられる。
【００７６】
図５（ｃ）に示すように、削除ファイルを選択する画面は、印刷する場合のファイル選択と画面を兼用し、選択後、印刷キー［印刷］を押下するか、削除キー［削除］を押下するかで、選択したファイルの処理を切り替えている。削除キー［削除］を押下すると、図６（ａ）の画面に移行する。
【００７７】
図６は、操作部３０の液晶タッチパネル３１の一表示形態を示した図であって、同図（ａ）は、削除キー［削除］を押下した後に削除処理を確認する表示画面であり、同図（ｂ）は、削除処理を実行した後の表示画面であり、同図（ｃ）は、原稿読み取り動作時に、読み取った画像の情報（原稿情報）の印刷を制限するための表示画面である。
【００７８】
図６（ａ）に示すように、この画面の中で了解キー［ＹＥＳ］を押下すると、指定されたファイルの画像情報を削除する。この時、図６（ｂ）に移行する。
【００７９】
非了解キー［ＮＯ］を押下すると指定されたファイルの削除を中止し、図５（ｃ）のファイル選択されていない画面に戻る。
【００８０】
図６（ｂ）は、削除処理を実行した後の画面である。削除されたファイルの情報はなくなり、削除ファイル（画像）の削除をキャンセルするためのキーとして、削除キー［削除］の代わりに復活キー［復活］が表示される。
【００８１】
この復活キー［復活］は、このキーが表示されている期間にこの復活キー［復活］を押下すると、直前に削除されたファイルを復活させ、再度印刷できる状態に戻すことができる。
【００８２】
復活機能としては、削除時に実際の画像情報を削除せず、削除したことを記憶することにより、復活を容易にすることができる。この場合、新たなファイル蓄積処理まで全体の画像記憶容量を増やすことなく、復活処理が容易になる。
【００８３】
新たな蓄積後も復活可能とするためには、復活用のメモリを別途用意する必要があり、用意しない場合には、新たな蓄積時に画像情報（原稿情報）が上書きされてしまう。
【００８４】
図６（ｃ）に示すように、原稿読み取り動作時に、読み取った画像の情報（原稿情報）の印刷を制限するためにその印刷にパスワードをつけて、印刷動作を制限することができる。一旦蓄積させ、印刷動作をするために読み込み画像を印刷することが可能となる。
【００８５】
本実施形態では、セキュリティ上の問題を解決するために、パスワードを読み込み時につけて、印刷時にそのパスワードを入力しないと印刷できないようにしている。
【００８６】
読み込み時のパスワード入力を実現している画面が図６（ｃ）で、印刷動作開始前にパスワードデータを入力しておくとそのパスワードデータが有効になる。パスワードを入力しないで読み込み動作を実行すると、パスワード管理されない。
【００８７】
図７（ａ）は、操作部３０の液晶タッチパネル３１のパスワード入力時の一表示形態を示した図であって、印刷時のパスワードが設定されているファイルに対する印刷及び削除指定選択時にパスワードの入力を促す表示画面を示している。
【００８８】
図７（ａ）に示すように、パスワードを入力すると、選択画面表示に戻りそのファイルが反転し選択される。パスワードの入力が一致しないときはファイル選択をせず、リスト画面に戻る。パスワードについては、外部からの画像蓄積時もパスワード情報が付加されていれば、印刷時は同様な処理を行う。このときは、外部ホストコンピュータ側のドライバ等で、パスワード入力できるようにする必要がある。
【００８９】
図７（ｂ）は、操作部３０の液晶タッチパネル３１の一表示形態を示した図であって、画像メモリー（蓄積手段）６６が満杯状態であることを表示し、ファイルの途中まで蓄積できた原稿情報を保持する制御時の画面である。
【００９０】
このとき、メインコントローラ（制御手段）２０は、データ蓄積許容量の満杯状態を検知したことを満杯検知手段を用いて検出した場合、図７（ｂ）に示すように、ファイルの途中まで蓄積できた原稿情報を保持するか否かのメッセージ（［これまでに読み取った画像の情報（原稿情報）を登録しますか？］／［はい］／［いいえ］）を液晶タッチパネル３１上に表示する制御を実行し、登録する処理が選択された場合（［はい］が押下された場合）に画像メモリー（蓄積手段）６６が実行している画像情報の入力動作を中止する制御を実行する。
【００９１】
図８は、操作部３０の液晶タッチパネル３１の一表示形態を示した図であって、同図（ａ）は、ファイルの途中まで蓄積できた原稿情報を破棄する制御時の画面であり、同図（ｂ）は、蓄積日時が最も古いファイルを削除する制御時の表示画面であり、同図（ｃ）は、印刷手段における印刷済みのファイルを優先して削除する制御時の表示画面である。
【００９２】
メインコントローラ（制御手段）２０は、図８（ａ）に示すように、ファイルの途中まで蓄積できた原稿情報を破棄する制御を実行すると同時に、画像メモリー（蓄積手段）６６が実行している画像情報の入力動作を中止する制御を実行することができる。
【００９３】
また、メインコントローラ（制御手段）２０は、図８（ｂ）に示すように、蓄積日時が最も古いファイル（具体的には、ＲＥＰＯＲＴ１というファイル）から順にあらかじめソートしてから、画像メモリー（蓄積情報）６６が満杯であることを表示し、ファイルの原稿情報を削除する制御を実行すると共に、画像メモリー（蓄積手段）６６が実行している画像情報の入力動作を継続する制御を選択することもできる。
【００９４】
さらに、メインコントローラ（制御手段）２０は、図８（ｃ）に示すように、印刷手段における印刷済みのファイル（具体的には、ＴＥＳＴ０１というファイル）を優先して蓄積日時の古い順にあらかじめソートしてから、画像メモリー（蓄積情報）６６が満杯であることを表示し、ファイルの原稿情報を削除する制御を実行することもできる。
【００９５】
次に、図２を用いて、本発明における画像読み取り手段、及び画像を記録面上に潜像形成するまでの動作を説明する。
【００９６】
ここで潜像とは、感光体１５面上に画像を光情報に変換して照射することにより生じる電位分布である。
【００９７】
読み取りユニット（読み取り手段）５０は、原稿を載置するコンタクトガラス６と光学走査系で構成されており、光学走査系は、露光ランプ５１、第１ミラー５２、レンズ５３、ＣＣＤイメージセンサ５４等で構成されている。
【００９８】
露光ランプ５１及び第１ミラー５２は図示しない第１キャリッジ上に固定され、第２ミラー５５及び第３ミラー５６は図示しない第２キャリッジ上に固定されている。
【００９９】
原稿像を読み取るときには、光路長が変わらないように、第１キャリッジと第２キャリッジとが２対１の相対速度で機械的に走査される。この光学走査系は、図示しないスキャナ駆動モータにて駆動される。
【０１００】
原稿画像は、ＣＣＤイメージセンサ５４によって読み取られ、電気信号に変換されて処理される。レンズ５３及びＣＣＤイメージセンサ５４を図１において左右方向に移動させることにより、画像倍率が変わる。すなわち、指定した倍率に対応してレンズ５３及びＣＣＤイメージセンサ５４の左右方向に位置が設定される。
【０１０１】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。
【０１０２】
レーザ出力ユニット５８より照射されるレーザ光は、定速回転するポリゴンミラーで偏光され、結像レンズ５９を通り、ミラー６０で折り返され、感光体１５面上に集光結像する。
【０１０３】
偏光されたレーザ光は感光体１５が回転する方向と直行する方向（主走査方向）に露光走査され、後述する画像処理部のセレクタ６４より出力された画像信号のライン単位の記録を行う。感光体１５の回転速度と記録密度に対応した所定の周期で主走査を繰り返すことによって、感光体１５面上に画像（静電潜像）が形成される。
【０１０４】
上述のように、プリンタエンジン（印刷手段）の書き込みユニット５７から出力されるレーザ光が、画像作像系の感光体１５に照射される。図示しないが感光体１５の一端近傍のレーザ光を照射される位置に、主走査同期信号（後述する主走査同期信号／ＬＳＹＮＣ）を発生するビームセンサが配置されている。
【０１０５】
この主走査同期信号をもとに主走査方向の画像記録開始タイミングの制御、及び後述する画像信号の入出力を行うための制御信号の生成を行う。
【０１０６】
本実施形態における画像処理部（画像読み取り部と画像書き込み部）の構成について、図２及び図１０を用いて説明する。図１０は、メモリーコントローラ（満杯検知手段）６５とこれに接続されている各種のデバイスの動作を説明するための機能ブロック図である。
【０１０７】
露光ランプ５１から照射された光は原稿面を照射し、原稿面からの反射光を、ＣＣＤイメージセンサ５４にて結像レンズ（図示せず）により結像、受光して光電変換し、Ａ／Ｄコンバータ６１にてディジタル信号に変換する。
【０１０８】
Ａ／Ｄコンバータ６１にてディジタル信号に変換された画像信号は、シェーディング補正手段６２によるシェーディング補正処理がなされた後、画像処理部６３にてＭＴＦ補正、及びγ補正（ガンマ補正）等が成されて第１印字合成手段７２に出力される。
【０１０９】
ＣＰＵ（制御手段）６８から出力される画像信号（アドレスと画像情報（原稿情報））は、印字イメージデータ発生装置７４に出力される。
【０１１０】
印字イメージデータ発生装置７４は、受け取った画像信号（アドレスと画像情報（原稿情報））から印字イメージを作成して第１印字合成手段７２に出力している。
【０１１１】
セレクタ６４では、第１印字合成手段７２から出力される画像信号、外部画像入出力手段７５（例えば、スキャナプリンタ）から出力される画像信号の、これらの送り先である第２印字合成手段７３又はメモリーコントローラ（満杯検知手段）６５への切り替えが行われる。
【０１１２】
第２印字合成手段７３から変倍部７１を経由した画像信号は変倍部７１において設定されている変倍率に合わせて拡大縮小され、書き込みユニット５７に送られる。
【０１１３】
メモリーコントローラ（満杯検知手段）６５とセレクタ６４間は、双方向に画像信号を入出力可能な構成となっている。
【０１１４】
図２には特に明示していないが、画像処理部（ＩＰＵ、制御手段）４９は、読み取り部５０から入力される画像情報（原稿情報）以外にも、外部機器から供給される画像情報（原稿情報）（例えばパーソナルコンピュータＰＣ等のデータ処理装置から出力されるデータ）も処理できるよう、複数のデータの入出力の選択を行う機能を有している。
【０１１５】
メモリーコントローラ（満杯検知手段）６５等への設定や、読み取り部５０及び書き込み部５７の制御を行うＣＰＵ（制御手段）６８、及びそのプログラムやデータを格納するＲＯＭ６９、ＲＡＭ７０を備えている。更にＣＰＵ（制御手段）６８は、メモリーコントローラ（満杯検知手段）６５を介して、画像メモリー（蓄積手段）６６のデータの書き込み、読み出しが行える。
【０１１６】
ここで、図１２を用いて、セレクタ６４における１ページ分の画像信号について説明する。図１２は、セレクタ６４における１ページ分の画像信号のタイミングチャートである。
【０１１７】
フレームゲート信号／ＦＧＡＴＥは、１ページの画像情報（原稿情報）の副操作方向の有効期間を表している。／ＬＳＹＮＣは、１ライン毎の主走査同期信号であり、この信号が立ち上がった後の所定クロックで、画像信号が有効となる。
【０１１８】
主走査方向の画像信号が有効であることを示す信号が、ラインゲート信号／ＬＧＡＴＥである。これらの信号は、画素同期信号ＶＣＬＫに同期しており、画素同期信号ＶＣＬＫの１周期に対し１画素のデータが送られている。
【０１１９】
画像処理部（ＩＰＵ）４９は、画像入力、出力それぞれに対して別個のフレームゲート信号／ＦＧＡＴＥ、主走査同期信号／ＬＳＹＮＣ、ラインゲート信号／ＬＧＡＴＥ、画素同期信号ＶＣＬＫの発生機構を有しており、様々な画像入出力の組み合わせが実現可能になる。
【０１２０】
図９は、メインコントローラ（制御手段）２０を中心とする制御装置の機能ブロック図である。
【０１２１】
メインコントローラ（制御手段）２０は画像形成装置Ａの全体を制御する。メインコントローラ（制御手段）２０には、オペレータに対する表示、オペレータからの機能設定入力制御を行う操作部３０、スキャナの制御、原稿画像を画像メモリー（蓄積手段）６６に書き込む制御、画像メモリー（蓄積手段）６６からの作像を行う制御等を行う画像処理ユニット（ＩＰＵ）４９、原稿自動送り装置（ＡＤＦ）１等の分散制御装置が接続されている。
【０１２２】
各分散制御装置とメインコントローラ（制御手段）２０は必要に応じて機械の状態、動作指令のやりとりを行っている。
【０１２３】
また、紙搬送等に必要なメインモータ２５、各種クラッチ（例えば、図９に示す、中間クラッチ２１、第１給紙クラッチ２２、第２給紙クラッチ２３、第３給紙クラッチ２４）も接続されている。
【０１２４】
プリンタコントローラ（印字手段）４０は、外部からの画像及びプリント指示するコマンドを解析し、画像情報（原稿情報）として、印刷できる状態にビットマップ展開し、印刷モードをコマンドから解析し動作を決定している。
【０１２５】
その画像及びコマンドをＬＡＮコントロール及びパラレルＩ／Ｆコントロールを通じて受信し動作するために、ＬＡＮコントロール部４１１とパラレルＩ／Ｆ部４１２が機能している。
【０１２６】
図１０は、メモリーコントローラ（満杯検知手段）６５とこれに接続されている各種のデバイスの動作を説明するための機能ブロック図である。図１１は、図１０におけるメモリーコントローラ（満杯検知手段）６５と画像メモリー（蓄積手段）６６の詳細を説明するための機能ブロック図である。
【０１２７】
図１１を用いて、図１０におけるメモリーコントローラ（満杯検知手段）６５と、画像メモリー（蓄積手段）６６の詳細を説明する。
【０１２８】
メモリーコントローラ（満杯検知手段）６５は、入力データセレクタ１０１、画像合成手段１０２、１次圧縮／伸長手段１０３、出力データセレクタ１０４、２次圧縮／伸長手段１０５が実行する２次圧縮／伸長処理のブロックを有している。
【０１２９】
各ブロックへの制御データの設定はＣＰＵ（制御手段）６８より行われる。図２におけるアドレス、データは画像情報（原稿情報）を示しており、ＣＰＵ（制御手段）６８に接続されるデータ、アドレスは図示していない。
【０１３０】
画像メモリー（蓄積手段）６６は、１次及び２次記憶装置（蓄積手段）１０６，１０７からなる。１次記憶装置（蓄積手段）１０６は、入力画像情報（原稿情報）の転送速度に略同期してメモリへのデータ書き込み、または画像出力時のメモリからのデータ読み出しが高速に行えるように、例えばＤＲＡＭ等の高速アクセスが可能なメモリを使用する。
【０１３１】
また、１次記憶装置（蓄積手段）１０６は、処理を行う画像情報（原稿情報）の大きさにより複数のエリアに分割して画像情報（原稿情報）の入出力を同時に実行可能な構成（メモリーコントローラ（満杯検知手段）６５とのインタフェース部）をとっている。
【０１３２】
各分割したエリアに画像情報（原稿情報）の入力、出力をそれぞれ並列に実行可能にするために、メモリーコントローラ（満杯検知手段）６５とのインタフェースにリード用とライト用の二組のアドレス・データ線で接続されている。これによりエリア１に画像を入力（ライト）する間にエリア２より画像を出力（リード）するという動作が可能になる。
【０１３３】
２次記憶装置（蓄積手段）１０７は、入力された画像の合成、ソーティングを行うためにデータを保存しておく大容量のメモリである。
【０１３４】
１次及び２次記憶装置（蓄積手段）１０６，１０７とも、高速アクセス可能な素子を使用すれば、１次、２次の区別なくデータの処理が行え、制御も比較的簡単になるが、ＤＲＡＭ等の素子は高価なため、２次記憶装置にはアクセス速度はそれほど速くないが、安価で、大容量の記録媒体を使用し、入出力データの処理を１次記憶装置を介して行う構成になっている。
【０１３５】
上述のような画像メモリー（蓄積手段）６６の構成を採用することにより、大量の画像情報（原稿情報）の入出力、保存、加工等の処理が可能な画像形成装置Ａを安価、かつ比較的簡単な構成で実現することが可能になる。
【０１３６】
次に、メモリーコントローラ（満杯検知手段）６５の動作の概略を説明する。
【０１３７】
＜１＞画像入力（画像メモリー（蓄積手段）６６への保存）
入力データセレクタ１０１は複数のデータの内から、画像メモリー（蓄積手段）６６（１次記憶装置（蓄積手段）１０６）への書き込みを行う画像情報（原稿情報）の選択を行う。
【０１３８】
入力データセレクタ１０１によって選択された画像情報（原稿情報）は、画像合成手段１０２に供給され、既に画像メモリー（蓄積手段）６６に保存されているデータとの合成を行う。
【０１３９】
画像合成手段１０２によって処理された画像情報（原稿情報）は、１次圧縮／伸長手段１０３によりデータを圧縮し、圧縮後のデータを１次記憶装置（蓄積手段）１０６に書き込む。
【０１４０】
１次記憶装置（蓄積手段）１０６に書き込まれたデータは、必要に応じて２次圧縮／伸長手段１０５が実行する２次圧縮／伸長処理で更に圧縮を行った後に２次記憶装置（蓄積手段）１０７に保存される。
【０１４１】
＜２＞画像出力（画像メモリー（蓄積手段）６６からの読み出し）
画像出力時は、１次記憶装置（蓄積手段）１０６に記憶されている画像情報（原稿情報）の読み出しを行う。出力対象となる画像情報が１次記憶装置（蓄積手段）１０６に格納されている場合には、１次圧縮／伸長手段１０３で１次記憶装置（蓄積手段）１０６の画像情報（原稿情報）の伸長を行い、伸長後のデータ、もしくは伸長後のデータと入力データとの画像合成を行った後のデータを出力データセレクタ１０４で選択し、出力する。
【０１４２】
画像合成手段１０２は、１次記憶装置（蓄積手段）１０６のデータと、入力データとの合成（画像情報（原稿情報）の位相調整機能を有する）、合成後のデータの出力先の選択（画像出力、１次記憶装置（蓄積手段）１０６へのライトバック、両方の出力先への同時出力も可能）等の処理を行う。
【０１４３】
出力対象となる画像が１次記憶装置（蓄積手段）１０６に格納されていない場合には、２次記憶装置（蓄積手段）１０７に格納されている出力対象画像情報（原稿情報）を２次圧縮／伸長手段１０５が実行する２次圧縮／伸長処理で伸長を行い、伸長後のデータを１次記憶装置（蓄積手段）１０６に書き込んでから、以下、上述の画像出力動作を行う。
【０１４４】
図１３は、ホストコンピュータ側からコマンドを受信した際のコマンド処理を説明するためのフローチャートである。
【０１４５】
まずコマンド処理（ステップＳ１３００）の実行時にプリンタファイル登録開始コマンドを受け取ると、画像情報を蓄積するための初期化処理を行い、ファイル登録状態へ移行し（ステップＳ１３０１のＹ→ステップＳ１３１０）、ファイル登録処理（ステップＳ１３１０）、プリンタファイル登録処理（ステップＳ１３１１）、プリンタ登録管理処理（ステップＳ１３１２）、画像情報を蓄積するための初期化処理（ステップＳ１３１３）を行い、プリンタファイル登録状態を終了して復帰する（ステップＳ１３１３→ステップＳ１３９９）。
【０１４６】
また、コマンド処理（ステップＳ１３００）の実行時にユーザ名登録コマンドを受け取ると、プリンタファイル登録状態の確認処理（ステップＳ１３２０）へ移行し、プリンタファイル登録が選択されている場合は（ステップＳ１３２０のＹ）、ユーザ名データを記憶する処理（受け取った情報をファイルの属性情報として記憶する処理）（ステップＳ１３２１）を行い、ユーザ名登録状態を終了して復帰する（ステップＳ１３２２→ステップＳ１３９９）。
【０１４７】
また、コマンド処理（ステップＳ１３００）の実行時にファイル名登録コマンドを受け取ると、プリンタファイル登録状態の確認処理（ステップＳ１３３０）へ移行し、プリンタファイル登録が選択されている場合は（ステップＳ１３３０のＹ）、ファイル名データを記憶する処理（受け取った情報をファイルの属性情報として記憶する処理）（ステップＳ１３３１）を行い、ファイル名登録登録状態を終了して復帰する（ステップＳ１３３１→ステップＳ１３９９）。
【０１４８】
また、コマンド処理（ステップＳ１３００）の実行時に時刻登録コマンドを受け取ると、プリンタファイル登録状態の確認処理（ステップＳ１３４０）へ移行し、プリンタファイル登録が選択されている場合は（ステップＳ１３４０のＹ）、時刻データを記憶する処理（受け取った情報をファイルの属性情報として記憶する処理）（ステップＳ１３４１）を行い、録時刻登録登録状態を終了して復帰する（ステップＳ１３４１→ステップＳ１３９９）。
【０１４９】
画像情報の入力が完了して、最後にプリンタファイル登録終了コマンドを受け取ると、ファイルの登録処理（ステップＳ１３５０→ステップＳ１３５１）を行い、プリンタファイル登録状態を終了して復帰する（ステップＳ１３５１→ステップＳ１３９９）。
【０１５０】
図１４は、スキャナで原稿を読み取る際の、スキャナ登録モード移行処理を説明するためのフローチャートである。
【０１５１】
スキャナ登録モード移行処理（ステップＳ１４００）の実行時に図４（ｃ）の読み取りキー［読み取り］が押されると（ステップＳ１４０１のＹ）、スキャナ画像情報を蓄積するための初期化処理を行い（ステップＳ１４０２）、スキャナファイル登録状態へ移行する（ステップＳ１４０３）。スキャナ登録管理（ステップＳ１４０４）を実行し全ての原稿の読み取りが完了して、図５（ｂ）の終了キーが押されると、ファイルの登録処理を行い（ステップＳ１４０５）、スキャナファイル登録状態を終了して復帰する（ステップＳ１４０５→ステップＳ１４９９）。
【０１５２】
図１５は、画像メモリー（蓄積手段）６６に蓄積した画像をプリントする蓄積プリント処理を説明するためのフローチャートである。
【０１５３】
蓄積プリント処理（ステップＳ１５００）が実行されると、プリント動作指示の検出処理が実行され（ステップＳ１５０１）、指示があった場合（ステップＳ１５０１のＹ）、対応する画像メモリー（蓄積手段）６６から画像情報を読み出して印刷する処理（ステップＳ１５０２）を実行し、印刷処理の終了を待って（ステップＳ１５０３のＹ）、蓄積プリント処理を終了して復帰する（ステップＳ１５０３→ステップＳ１５９９）。
【０１５４】
＜スキャナ読み込み処理：第１実施形態＞
図１６は、原稿画像をスキャナで読み取る場合のスキャナ読み込み処理の第１実施形態を説明するためのフローチャートである。
【０１５５】
スキャナ読み込み処理（ステップＳ１６００）の実行時にスタートキー［スタート］が押された時に原稿読み込みの指示有りと判定し（ステップＳ１６０１のＹ）、スキャナファイルの登録状態をチェックする（ステップＳ１６０２）。
【０１５６】
スキャナファイルが登録状態である場合（ステップＳ１６０２のＹ）、原稿の存在をチェックし（ステップＳ１６０３）、原稿が存在するのであれば（ステップＳ１６０３のＹ）、画像情報を蓄積する画像メモリー（蓄積手段）６６が満杯状態でないかどうかチェックする（ステップＳ１６０４）。
【０１５７】
ここで、画像メモリー（蓄積手段）６６が満杯状態の場合は（ステップＳ１６０４のＹ）、ファイルの登録処理を行い（ステップＳ１６１０）、スキャナファイル登録状態を解除し（ステップＳ１６１１）、スキャナ読み込み処理を終了して復帰する（ステップＳ１６１１→ステップＳ１６９９）。
【０１５８】
画像メモリー（蓄積手段）６６が満杯状態でなければ（ステップＳ１６０４のＮ）、原稿をスキャンして得られた画像情報を画像メモリー（蓄積手段）６６に蓄積する（ステップＳ１６０５）。この処理をメモリ蓄積終了まで繰り返す（ステップＳ１６０６のＮ→ステップＳ１６０５→ステップＳ１６０６→ステップＳ１６０６のＮ→…）。
【０１５９】
メモリ蓄積終了後（ステップＳ１６０６のＹ）、ＤＦ使用モードで次原稿が存在する場合は（ステップＳ１６０８のＹ）、次の原稿に対しても同じ処理を繰り返す（ステップＳ１６０８のＹ→ステップＳ１６０４→ステップＳ１６０５→ステップＳ１６０６→ステップＳ１６０７→ステップＳ１６０８→…）。
【０１６０】
＜スキャナ読み込み処理：第２実施形態＞
図１７は、原稿画像をスキャナで読み取る場合のスキャナ読み込み処理の第２実施形態を説明するためのフローチャートである。
【０１６１】
スキャナ読み込み処理（ステップＳ１７００）の実行時にスタートキー［スタート］が押された時に原稿読み込みの指示有りと判定し（ステップＳ１７０１のＹ）、スキャナファイルの登録状態をチェックする（ステップＳ１７０２）。
【０１６２】
スキャナファイルが登録状態である場合（ステップＳ１７０２のＹ）、原稿の存在をチェックし（ステップＳ１７０３）、原稿が存在するのであれば（ステップＳ１７０３のＹ）、画像情報を蓄積する画像メモリー（蓄積手段）６６が満杯状態でないかどうかチェックする（ステップＳ１７０４）。
【０１６３】
ここで、画像メモリー（蓄積手段）６６が満杯状態の場合は（ステップＳ１７０４のＹ）、これまでに読み込んだ原稿画像情報を破棄し（ステップＳ１７１０）、スキャナファイル登録状態を解除し（ステップＳ１７１１）、スキャナ読み込み処理を終了して復帰する（ステップＳ１７１１→ステップＳ１７９９）。
【０１６４】
画像メモリー（蓄積手段）６６が満杯状態でなければ（ステップＳ１７０４のＮ）、原稿をスキャンして得られた画像情報を画像メモリー（蓄積手段）６６に蓄積する（ステップＳ１７０５）。この処理をメモリ蓄積終了まで繰り返す（ステップＳ１７０６のＮ→ステップＳ１７０５→ステップＳ１７０６→ステップＳ１７０６のＮ→…）。
【０１６５】
メモリ蓄積終了後（ステップＳ１７０６のＹ）、ＤＦ使用モードで次原稿が存在する場合は（ステップＳ１７０８のＹ）、次の原稿に対しても同じ処理を繰り返す（ステップＳ１７０８のＹ→ステップＳ１７０４→ステップＳ１７０５→ステップＳ１７０６→ステップＳ１７０７→ステップＳ１７０８→…）。
【０１６６】
＜スキャナ読み込み処理：第３実施形態＞
図１８は、原稿画像をスキャナで読み取る場合のスキャナ読み込み処理の第３実施形態を説明するためのフローチャートである。
【０１６７】
スキャナ読み込み処理（ステップＳ１８００）の実行時にスタートキー［スタート］が押された時に原稿読み込みの指示有りと判定し（ステップＳ１８０１のＹ）、スキャナファイルの登録状態をチェックする（ステップＳ１８０２）。
【０１６８】
スキャナファイルが登録状態である場合（ステップＳ１８０２のＹ）、原稿の存在をチェックし（ステップＳ１８０３）、原稿が存在するのであれば（ステップＳ１８０３のＹ）、画像情報を蓄積する画像メモリー（蓄積手段）６６が満杯状態でないかどうかチェックする（ステップＳ１８０４）。
【０１６９】
ここで、画像メモリー（蓄積手段）６６が満杯状態の場合は（ステップＳ１８０４のＹ）、蓄積日時が最も古いファイルを自動的に削除し（ステップＳ１８１０）、ステップＳ１８０４にジャンプする。
【０１７０】
画像メモリー（蓄積手段）６６が満杯状態でなければ（ステップＳ１８０４のＮ）、原稿をスキャンして得られた画像情報を画像メモリー（蓄積手段）６６に蓄積する（ステップＳ１８０５）。この処理をメモリ蓄積終了まで繰り返す（ステップＳ１８０６のＮ→ステップＳ１８０５→ステップＳ１８０６→ステップＳ１８０６のＮ→…）。
【０１７１】
メモリ蓄積終了後（ステップＳ１８０６のＹ）、ＤＦ使用モードで次原稿が存在する場合は（ステップＳ１８０８のＹ）、次の原稿に対しても同じ処理を繰り返す（ステップＳ１８０８のＹ→ステップＳ１８０４→ステップＳ１８０５→ステップＳ１８０６→ステップＳ１８０７→ステップＳ１８０８→…）。
【０１７２】
＜スキャナ読み込み処理：第４実施形態＞
図１９は、原稿画像をスキャナで読み取る場合のスキャナ読み込み処理の第４実施形態を説明するためのフローチャートである。
【０１７３】
スキャナ読み込み処理（ステップＳ１９００）の実行時にスタートキー［スタート］が押された時に原稿読み込みの指示有りと判定し（ステップＳ１９０１のＹ）、スキャナファイルの登録状態をチェックする（ステップＳ１９０２）。
【０１７４】
スキャナファイルが登録状態である場合（ステップＳ１９０２のＹ）、原稿の存在をチェックし（ステップＳ１９０３）、原稿が存在するのであれば（ステップＳ１９０３のＹ）、画像情報を蓄積する画像メモリー（蓄積手段）６６が満杯状態でないかどうかチェックする（ステップＳ１９０４）。
【０１７５】
ここで、画像メモリー（蓄積手段）６６が満杯状態の場合は（ステップＳ１９０４のＹ）、印刷済みのファイルの中で蓄積日時が最も古いファイルを自動的に削除し（ステップＳ１９１０）、ステップＳ１９０４にジャンプする。
【０１７６】
画像メモリー（蓄積手段）６６が満杯状態でなければ（ステップＳ１９０４のＮ）、原稿をスキャンして得られた画像情報を画像メモリー（蓄積手段）６６に蓄積する（ステップＳ１９０５）。この処理をメモリ蓄積終了まで繰り返す（ステップＳ１９０６のＮ→ステップＳ１９０５→ステップＳ１９０６→ステップＳ１９０６のＮ→…）。
【０１７７】
メモリ蓄積終了後（ステップＳ１９０６のＹ）、ＤＦ使用モードで次原稿が存在する場合は（ステップＳ１９０８のＹ）、次の原稿に対しても同じ処理を繰り返す（ステップＳ１９０８のＹ→ステップＳ１９０４→ステップＳ１９０５→ステップＳ１９０６→ステップＳ１９０７→ステップＳ１９０８→…）。
【０１７８】
図１９に示すように、削除対象のファイルを決定する際に印刷済みのファイルを優先しているため、まだ印刷を行っていない必要なファイルを誤って消去してしまう可能性を低減することが可能である。
【０１７９】
＜スキャナ読み込み処理：第５実施形態＞
原稿画像をスキャナで読み取る場合のスキャナ読み込み処理の第５実施形態について説明する。
【０１８０】
第５実施形態は、大部分が第２実施形態と同様であるので、図１７を用いて説明する。
【０１８１】
スキャナ読み込み処理（ステップＳ１７００）の実行時にスタートキー［スタート］が押された時に原稿読み込みの指示有りと判定し（ステップＳ１７０１のＹ）、スキャナファイルの登録状態をチェックする（ステップＳ１７０２）。
【０１８２】
スキャナファイルが登録状態である場合（ステップＳ１７０２のＹ）、原稿の存在をチェックし（ステップＳ１７０３）、原稿が存在するのであれば（ステップＳ１７０３のＹ）、画像情報を蓄積する画像メモリー（蓄積手段）６６が満杯状態でないかどうかチェックする（ステップＳ１７０４）。
【０１８３】
第５実施形態は、ステップＳ１７０４のＹを選択した場合（ステップＳ１７１０部分）において、第２実施形態と異なっている。
【０１８４】
ステップＳ１７０４において、画像メモリー（蓄積手段）６６が満杯状態の場合は（ステップＳ１７０４のＹ）、図７（ｂ）に示すようなメモリフルアラート処理を行う。ファイルの途中まで蓄積できた原稿情報を保持するか否かのメッセージ（［これまでに読み取った画像の情報（原稿情報）を登録しますか？］／［はい］／［いいえ］）が液晶タッチパネル３１上に表示される。
【０１８５】
図７（ｂ）の画面において、［はい］が選択された場合は、メモリが満杯になるまでに読み込んだ原稿画像はそのまま保持しておくので、ファイルの登録処理を行い、ファイル数をインクリメントした上で、ステップＳ１７１１に進み、スキャナファイルの登録状態を解除し、スキャナ読み込み処理を終了して復帰する（ステップＳ１７１１→ステップＳ１７９９）。
【０１８６】
図７（ｂ）の画面において、［いいえ］キーが押された場合には、それまでに読み込んだ原稿画像情報を破棄し、ステップＳ１７１１に進んでスキャナファイルの登録状態を解除し、スキャナ読み込み処理を終了して復帰する（ステップＳ１７１１→ステップＳ１７９９）。
【０１８７】
画像メモリー（蓄積手段）６６が満杯状態でなければ（ステップＳ１７０４のＮ）、原稿をスキャンして得られた画像情報を画像メモリー（蓄積手段）６６に蓄積する（ステップＳ１７０５）。この処理をメモリ蓄積終了まで繰り返す（ステップＳ１７０６のＮ→ステップＳ１７０５→ステップＳ１７０６→ステップＳ１７０６のＮ→…）。
【０１８８】
メモリ蓄積終了後（ステップＳ１７０６のＹ）、ＤＦ使用モードで次原稿が存在する場合は（ステップＳ１７０８のＹ）、次の原稿に対しても同じ処理を繰り返す（ステップＳ１７０８のＹ→ステップＳ１７０４→ステップＳ１７０５→ステップＳ１７０６→ステップＳ１７０７→ステップＳ１７０８→…）。
【０１８９】
＜スキャナ読み込み処理：第６実施形態＞
原稿画像をスキャナで読み取る場合のスキャナ読み込み処理の第６実施形態について説明する。
【０１９０】
第６実施形態は、大部分が第３実施形態と同様であるので、図１８を用いて説明する。
【０１９１】
スキャナ読み込み処理（ステップＳ１８００）の実行時にスタートキー［スタート］が押された時に原稿読み込みの指示有りと判定し（ステップＳ１８０１のＹ）、スキャナファイルの登録状態をチェックする（ステップＳ１８０２）。
【０１９２】
スキャナファイルが登録状態である場合（ステップＳ１８０２のＹ）、原稿の存在をチェックし（ステップＳ１８０３）、原稿が存在するのであれば（ステップＳ１８０３のＹ）、画像情報を蓄積する画像メモリー（蓄積手段）６６が満杯状態でないかどうかチェックする（ステップＳ１８０４）。
【０１９３】
第６実施形態は、ステップＳ１８０４のＹを選択した場合（ステップＳ１８１０部分）において、第３実施形態と異なっている。
【０１９４】
ステップＳ１８０４において、画像メモリー（蓄積手段）６６が満杯状態の場合は（ステップＳ１８０４のＹ）、図８（ａ）に示すようなメモリフルアラート処理（メモリが満杯であることを液晶タッチパネル３１に表示して警告）を行い、削除対象のファイルの選択を促す。
【０１９５】
図８（ａ）の画面において、削除対象のファイルが選択され、［削除］キーが押下されると、選択されたファイルを削除し、ステップＳ１８０４に戻って、再度画像メモリー（蓄積手段）６６が満杯かどうかのチェックを行う。画像メモリーがまだ満杯である場合は、上記の処理（削除対象のファイルを選択し、削除を行う）を繰り返す。
【０１９６】
画像メモリー（蓄積手段）６６が満杯状態でなければ（ステップＳ１８０４のＮ）、原稿をスキャンして得られた画像情報を画像メモリー（蓄積手段）６６に蓄積する（ステップＳ１８０５）。この処理をメモリ蓄積終了まで繰り返す（ステップＳ１８０６のＮ→ステップＳ１８０５→ステップＳ１８０６→ステップＳ１８０６のＮ→…）。
【０１９７】
メモリ蓄積終了後（ステップＳ１８０６のＹ）、ＤＦ使用モードで次原稿が存在する場合は（ステップＳ１８０８のＹ）、次の原稿に対しても同じ処理を繰り返す（ステップＳ１８０８のＹ→ステップＳ１８０４→ステップＳ１８０５→ステップＳ１８０６→ステップＳ１８０７→ステップＳ１８０８→…）。
【０１９８】
＜スキャナ読み込み処理：第７実施形態＞
原稿画像をスキャナで読み取る場合のスキャナ読み込み処理の第７実施形態について説明する。
【０１９９】
第７実施形態は、大部分が第３実施形態と同様であるので、図１８を用いて説明する。
【０２００】
スキャナ読み込み処理（ステップＳ１８００）の実行時にスタートキー［スタート］が押された時に原稿読み込みの指示有りと判定し（ステップＳ１８０１のＹ）、スキャナファイルの登録状態をチェックする（ステップＳ１８０２）。
【０２０１】
スキャナファイルが登録状態である場合（ステップＳ１８０２のＹ）、原稿の存在をチェックし（ステップＳ１８０３）、原稿が存在するのであれば（ステップＳ１８０３のＹ）、画像情報を蓄積する画像メモリー（蓄積手段）６６が満杯状態でないかどうかチェックする（ステップＳ１８０４）。
【０２０２】
第７実施形態は、ステップＳ１８０４のＹを選択した場合（ステップＳ１８１０部分）において、第３実施形態と異なっている。
【０２０３】
ステップＳ１８０４において、画像メモリー（蓄積手段）６６が満杯状態の場合は（ステップＳ１８０４のＹ）、図８（ｂ）に示すように、あらかじめファイルリストを蓄積日時の古い順にソートしてから、メモリフルアラート処理（メモリが満杯であることを液晶タッチパネル３１に表示して警告）を行い、削除対象のファイルの選択を促す。
【０２０４】
図８（ｂ）の画面において、削除対象のファイルが選択され、［削除］キーが押下されると選択されたファイルを削除し、ステップＳ１８０４に戻って、再度画像メモリー（蓄積手段）６６が満杯かどうかのチェックを行う。画像メモリーがまだ満杯である場合は、上記の処理（削除対象のファイルを選択し、削除を行う）を繰り返す。
【０２０５】
画像メモリー（蓄積手段）６６が満杯状態でなければ（ステップＳ１８０４のＮ）、原稿をスキャンして得られた画像情報を画像メモリー（蓄積手段）６６に蓄積する（ステップＳ１８０５）。この処理をメモリ蓄積終了まで繰り返す（ステップＳ１８０６のＮ→ステップＳ１８０５→ステップＳ１８０６→ステップＳ１８０６のＮ→…）。
【０２０６】
メモリ蓄積終了後（ステップＳ１８０６のＹ）、ＤＦ使用モードで次原稿が存在する場合は（ステップＳ１８０８のＹ）、次の原稿に対しても同じ処理を繰り返す（ステップＳ１８０８のＹ→ステップＳ１８０４→ステップＳ１８０５→ステップＳ１８０６→ステップＳ１８０７→ステップＳ１８０８→…）。
【０２０７】
このように蓄積日時が古いファイルから順にファイルリストを表示するため、一般的に蓄積日時が古いファイルの方が不要である可能性が高いので、削除対象のファイルを容易に選択できるようになり、機器の操作性が向上する。
【０２０８】
＜スキャナ読み込み処理：第８実施形態＞
原稿画像をスキャナで読み取る場合のスキャナ読み込み処理の第８実施形態について説明する。
【０２０９】
第８実施形態は、大部分が第３実施形態と同様であるので、図１８を用いて説明する。
【０２１０】
スキャナ読み込み処理（ステップＳ１８００）の実行時にスタートキー［スタート］が押された時に原稿読み込みの指示有りと判定し（ステップＳ１８０１のＹ）、スキャナファイルの登録状態をチェックする（ステップＳ１８０２）。
【０２１１】
スキャナファイルが登録状態である場合（ステップＳ１８０２のＹ）、原稿の存在をチェックし（ステップＳ１８０３）、原稿が存在するのであれば（ステップＳ１８０３のＹ）、画像情報を蓄積する画像メモリー（蓄積手段）６６が満杯状態でないかどうかチェックする（ステップＳ１８０４）。
【０２１２】
第８実施形態は、ステップＳ１８０４のＹを選択した場合（ステップＳ１８１０部分）において、第３実施形態と異なっている。
【０２１３】
ステップＳ１８０４において、画像メモリー（蓄積手段）６６が満杯状態の場合は（ステップＳ１７０４のＹ）、図８（ｃ）に示すように、あらかじめファイルリストを印刷済みのファイルを優先して蓄積日時の古い順にソートしてから、メモリフルアラート処理（メモリが満杯であることを液晶タッチパネル３１に表示して警告）を行い、削除対象のファイルの選択を促す。
【０２１４】
図８（ｃ）の画面において、削除対象のファイルが選択され、［削除］キーが押下されると選択されたファイルを削除し、ステップＳ１８０４に戻って、再度画像メモリー（蓄積手段）６６が満杯かどうかのチェックを行う。画像メモリーがまだ満杯である場合は、上記の処理（削除対象のファイルを選択し、削除を行う）を繰り返す。
【０２１５】
画像メモリー（蓄積手段）６６が満杯状態でなければ（ステップＳ１８０４のＮ）、原稿をスキャンして得られた画像情報を画像メモリー（蓄積手段）６６に蓄積する（ステップＳ１８０５）。この処理をメモリ蓄積終了まで繰り返す（ステップＳ１８０６のＮ→ステップＳ１８０５→ステップＳ１８０６→ステップＳ１８０６のＮ→…）。
【０２１６】
メモリ蓄積終了後（ステップＳ１８０６のＹ）、ＤＦ使用モードで次原稿が存在する場合は（ステップＳ１８０８のＹ）、次の原稿に対しても同じ処理を繰り返す（ステップＳ１８０８のＹ→ステップＳ１８０４→ステップＳ１８０５→ステップＳ１８０６→ステップＳ１８０７→ステップＳ１８０８→…）。
【０２１７】
このように印刷済みのファイルを優先して蓄積日時が古いファイルから順にファイルリストを表示するため、一般的に印刷済みのファイルの方が不要である可能性が高いので、削除対象のファイルを容易に選択できるようになり、機器の操作性が向上する。
【０２１８】
＜外部画像データ処理：第１実施形態＞
図２０は、原稿画像を外部機器から入力する場合の外部画像データ処理の第１実施形態を説明するためのフローチャートである。
【０２１９】
外部画像データ処理（ステップＳ２０００）の実行時にスタートキー［スタート］が押された時に外部機器からの原稿読み込みの指示有りと判定し（ステップＳ２００１のＹ）、画像展開処理（ステップＳ２００２）を１ページ分実行し（ステップＳ２００１→ステップＳ２００３→ステップＳ２００１）、１ページ分の画像展開処理が終了した後、ファイルの登録状態をチェックする（ステップＳ２００３）。
【０２２０】
プリンタファイルが登録状態である場合（ステップＳ２００４のＹ）、画像情報を蓄積する画像メモリー（蓄積手段）６６が満杯状態でないかどうかチェックする（ステップＳ２００５）。
【０２２１】
ここで、画像メモリー（蓄積手段）６６が満杯状態の場合は（ステップＳ２００５のＹ）、ファイルの登録処理を行い（ステップＳ２０１０）、ファイル登録状態を解除し（ステップＳ２０１１）、外部機器読み込み処理を終了して復帰する（ステップＳ２０１１→ステップＳ２０９９）。
【０２２２】
画像メモリー（蓄積手段）６６が満杯状態でなければ（ステップＳ２００５のＮ）、外部機器から得られた画像情報を画像メモリー（蓄積手段）６６に蓄積する（ステップＳ２００６）。この処理をメモリ蓄積終了まで繰り返す（ステップＳ２００７のＮ→ステップＳ２００６→ステップＳ２００７→ステップＳ２００７のＮ→…）。
【０２２３】
メモリ蓄積終了後（ステップＳ２００７のＹ）、ページ数情報のインクリメント処理を実行し、外部機器読み込み処理を終了して復帰する（ステップＳ２００８→ステップＳ２０９９）。
【０２２４】
プリンタファイルが登録状態でない場合（ステップＳ２００４のＮ）、印刷処理を実行し（ステップＳ２０２０）、印刷の終了を待って（ステップＳ２０２１）、外部機器読み込み処理を終了して復帰する（ステップＳ２０２１→ステップＳ２０９９）。
【０２２５】
＜外部画像データ処理：第２実施形態＞
図２１は、原稿画像を外部機器から入力する場合の外部画像データ処理の第２実施形態を説明するためのフローチャートである。
【０２２６】
外部画像データ処理（ステップＳ２１００）の実行時にスタートキー［スタート］が押された時に外部機器からの原稿読み込みの指示有りと判定し（ステップＳ２１０１のＹ）、画像展開処理（ステップＳ２１０２）を１ページ分実行し（ステップＳ２１０１→ステップＳ２１０３→ステップＳ２１０１）、１ページ分の画像展開処理が終了した後、ファイルの登録状態をチェックする（ステップＳ２１０３）。
【０２２７】
プリンタファイルが登録状態である場合（ステップＳ２１０４のＹ）、画像情報を蓄積する画像メモリー（蓄積手段）６６が満杯状態でないかどうかチェックする（ステップＳ２１０５）。
【０２２８】
ここで、画像メモリー（蓄積手段）６６が満杯状態の場合は（ステップＳ２１０５のＹ）、これまでに読み込んだ原稿画像情報を破棄し（ステップＳ２１１０）、プリンタファイル登録状態を解除し（ステップＳ２１１１）、外部画像データ処理を終了して復帰する（ステップＳ２１１１→ステップＳ２１９９）。
【０２２９】
画像メモリー（蓄積手段）６６が満杯状態でなければ（ステップＳ２１０５のＮ）、外部機器から得られた画像情報を画像メモリー（蓄積手段）６６に蓄積する（ステップＳ２１０６）。この処理をメモリ蓄積終了まで繰り返す（ステップＳ２１０７のＮ→ステップＳ２１０６→ステップＳ２１０７→ステップＳ２１０７のＮ→…）。
【０２３０】
メモリ蓄積終了後（ステップＳ２１０７のＹ）、ページ数情報のインクリメント処理を実行し、外部機器読み込み処理を終了して復帰する（ステップＳ２１０８→ステップＳ２１９９）。
【０２３１】
プリンタファイルが登録状態でない場合（ステップＳ２１０４のＮ）、印刷処理を実行し（ステップＳ２１２０）、印刷の終了を待って（ステップＳ２１２１）、外部機器読み込み処理を終了して復帰する（ステップＳ２１２１→ステップＳ２１９９）。
【０２３２】
＜外部画像データ処理：第３実施形態＞
図２２は、原稿画像を外部機器から入力する場合の外部画像データ処理の第３実施形態を説明するためのフローチャートである。
【０２３３】
外部画像データ処理（ステップＳ２２００）の実行時にスタートキー［スタート］が押された時に外部機器からの原稿読み込みの指示有りと判定し（ステップＳ２２０１のＹ）、画像展開処理（ステップＳ２２０２）を１ページ分実行し（ステップＳ２２０１→ステップＳ２２０３→ステップＳ２２０１）、１ページ分の画像展開処理が終了した後、ファイルの登録状態をチェックする（ステップＳ２２０３）。
【０２３４】
プリンタファイルが登録状態である場合（ステップＳ２２０４のＹ）、画像情報を蓄積する画像メモリー（蓄積手段）６６が満杯状態でないかどうかチェックする（ステップＳ２２０５）。
【０２３５】
ここで、画像メモリー（蓄積手段）６６が満杯状態の場合は（ステップＳ２２０５のＹ）、印刷済みのファイルの中で蓄積日時が最も古いファイルを自動的に削除し（ステップＳ２２１０）、ステップＳ２２０５にジャンプする。
【０２３６】
画像メモリー（蓄積手段）６６が満杯状態でなければ（ステップＳ２２０５のＮ）、外部機器から得られた画像情報を画像メモリー（蓄積手段）６６に蓄積する（ステップＳ２２０６）。この処理をメモリ蓄積終了まで繰り返す（ステップＳ２２０７のＮ→ステップＳ２２０６→ステップＳ２２０７→ステップＳ２２０７のＮ→…）。
【０２３７】
メモリ蓄積終了後（ステップＳ２２０７のＹ）、ページ数情報のインクリメント処理を実行し、外部機器読み込み処理を終了して復帰する（ステップＳ２２０８→ステップＳ２２９９）。
【０２３８】
プリンタファイルが登録状態でない場合（ステップＳ２２０４のＮ）、印刷処理を実行し（ステップＳ２２２０）、印刷の終了を待って（ステップＳ２２２１）、外部機器読み込み処理を終了して復帰する（ステップＳ２２２１→ステップＳ２２９９）。
【０２３９】
＜外部画像データ処理：第４実施形態＞
ここで、原稿画像を外部機器から入力する場合の外部画像データ処理の第４実施形態について説明する。
【０２４０】
第４実施形態は、大部分が第１実施形態と同様であるので、図２０を用いて説明する。
【０２４１】
外部画像データ処理（ステップＳ２０００）の実行時にスタートキー［スタート］が押された時に外部機器からの原稿読み込みの指示有りと判定し（ステップＳ２００１のＹ）、画像展開処理（ステップＳ２００２）を１ページ分実行し（ステップＳ２００１→ステップＳ２００３→ステップＳ２００１）、１ページ分の画像展開処理が終了した後、ファイルの登録状態をチェックする（ステップＳ２００３）。
【０２４２】
プリンタファイルが登録状態である場合（ステップＳ２００４のＹ）、画像情報を蓄積する画像メモリー（蓄積手段）６６が満杯状態でないかどうかチェックする（ステップＳ２００５）。
【０２４３】
第４実施形態は、ステップＳ２００５のＹを選択した場合（ステップＳ２０１０部分）において、第１実施形態と異なっている。
【０２４４】
ここで、画像メモリー（蓄積手段）６６が満杯状態の場合は（ステップＳ２００５のＹ）、ホスト側に画像メモリー（蓄積手段）が満杯であることを通知し、ファイル登録状態を解除し（ステップＳ２０１１）、外部機器読み込み処理を終了して復帰する（ステップＳ２０１１→ステップＳ２０９９）。
【０２４５】
画像メモリー（蓄積手段）６６が満杯状態でなければ（ステップＳ２００５のＮ）、外部機器から得られた画像情報を画像メモリー（蓄積手段）６６に蓄積する（ステップＳ２００６）。この処理をメモリ蓄積終了まで繰り返す（ステップＳ２００７のＮ→ステップＳ２００６→ステップＳ２００７→ステップＳ２００７のＮ→…）。
【０２４６】
メモリ蓄積終了後（ステップＳ２００７のＹ）、ページ数情報のインクリメント処理を実行し、外部機器読み込み処理を終了して復帰する（ステップＳ２００８→ステップＳ２０９９）。
【０２４７】
プリンタファイルが登録状態でない場合（ステップＳ２００４のＮ）、印刷処理を実行し（ステップＳ２０２０）、印刷の終了を待って（ステップＳ２０２１）、外部機器読み込み処理を終了して復帰する（ステップＳ２０２１→ステップＳ２０９９）。
【０２４８】
＜外部画像データ処理：第５実施形態＞
原稿画像を外部機器から入力する場合の外部画像データ処理の第５実施形態について説明する。
【０２４９】
第５実施形態は、大部分が第３実施形態と同様であるので、図２２を用いて説明する。
【０２５０】
外部画像データ処理（ステップＳ２２００）の実行時にスタートキー［スタート］が押された時に外部機器からの原稿読み込みの指示有りと判定し（ステップＳ２２０１のＹ）、画像展開処理（ステップＳ２２０２）を１ページ分実行し（ステップＳ２２０１→ステップＳ２２０３→ステップＳ２２０１）、１ページ分の画像展開処理が終了した後、ファイルの登録状態をチェックする（ステップＳ２２０３）。
【０２５１】
プリンタファイルが登録状態である場合（ステップＳ２２０４のＹ）、画像情報を蓄積する画像メモリー（蓄積手段）６６が満杯状態でないかどうかチェックする（ステップＳ２２０５）。
【０２５２】
第５実施形態は、ステップＳ２２０５のＹを選択した場合において、第３実施形態と異なっている。
【０２５３】
ここで、画像メモリー（蓄積手段）６６が満杯状態の場合は（ステップＳ２２０５のＹ）、満杯状態が解除されるまで画像データの蓄積処理を停止する（ステップＳ２２０５でＮが選択されるまで、ステップＳ２２０５を繰り返す）。
【０２５４】
画像メモリー（蓄積手段）６６が満杯状態でない場合、あるいは満杯状態が解除された場合は（ステップＳ２２０５のＮ）、外部機器から得られた画像情報を画像メモリー（蓄積手段）６６に蓄積する（ステップＳ２２０６）。この処理をメモリ蓄積終了まで繰り返す（ステップＳ２２０７のＮ→ステップＳ２２０６→ステップＳ２２０７→ステップＳ２２０７のＮ→…）。
【０２５５】
メモリ蓄積終了後（ステップＳ２２０７のＹ）、ページ数情報のインクリメント処理を実行し、外部機器読み込み処理を終了して復帰する（ステップＳ２２０８→ステップＳ２２９９）。
【０２５６】
プリンタファイルが登録状態でない場合（ステップＳ２２０４のＮ）、印刷処理を実行し（ステップＳ２２２０）、印刷の終了を待って（ステップＳ２２２１）、外部機器読み込み処理を終了して復帰する（ステップＳ２２２１→ステップＳ２２９９）。
【図面の簡単な説明】
【０２５７】
【図１】システムの全体構成図である。
【図２】図１のシステムに接続されている画像形成装置Ａの一実施形態を示す構成図である。
【図３】図２の画像形成装置に設けられている操作部の構成図である。
【図４】操作部３０の液晶タッチパネル３１の一表示形態を示した図であって、同図（ａ）は、コピー機能を選択設定する表示画面であり、同図（ｂ）は、プリンタ機能用の操作表示画面であり、同図（ｃ）は、蓄積コピー機能用の操作画面である。
【図５】操作部３０の液晶タッチパネル３１の一表示形態を示した図であって、同図（ａ）は、蓄積コピー機能用の操作表示画面であり、同図（ｂ）は、蓄積コピー機能用の操作表示画面であり、同図（ｃ）は、ファイルを削除する場合の削除ファイルを選択する画面である。
【図６】操作部３０の液晶タッチパネル３１の一表示形態を示した図であって、同図（ａ）は、削除キーを押下した後に削除処理を確認する表示画面であり、同図（ｂ）は、削除処理を実行した後の表示画面であり、同図（ｃ）は、原稿読み取り動作時に、読み取った画像の印刷を制限するための表示画面である。
【図７】図７（ａ）は、操作部３０の液晶タッチパネル３１のパスワード入力時の一表示形態を示した図であって、印刷時のパスワードが設定されているファイルに対する印刷及び削除指定選択時にパスワードの入力を促す表示画面を示している。  図７（ｂ）は、操作部３０の液晶タッチパネル３１の一表示形態を示した図であって、画像メモリー（蓄積手段）６６が満杯状態であることを表示し、ファイルの途中まで蓄積できた原稿情報を保持する制御時の画面である。
【図８】操作部３０の液晶タッチパネル３１の一表示形態を示した図であって、同図（ａ）は、ファイルの途中まで蓄積できた原稿情報を破棄する制御時の画面であり、同図（ｂ）は、蓄積日時が最も古いファイルを削除する制御時の表示画面であり、同図（ｃ）は、印刷手段における印刷済みのファイルを優先して削除する制御時の表示画面である。
【図９】メインコントローラ２０を中心とする制御装置の機能ブロック図である。
【図１０】メモリーコントローラ６５とこれに接続されている各種のデバイスの動作を説明するための機能ブロック図である。
【図１１】図１０におけるメモリーコントローラ６５と画像メモリー６６の詳細を説明するための機能ブロック図である。
【図１２】セレクタ６４における１ページ分の画像信号のタイミングチャートである。
【図１３】ホストコンピュータ側からコマンドを受信した際のコマンド処理を説明するためのフローチャートである。
【図１４】スキャナで原稿を読み取る際の、スキャナ登録モード移行処理を説明するためのフローチャートである。
【図１５】メモリに蓄積した画像をプリントする蓄積プリント処理を説明するためのフローチャートである。
【図１６】原稿画像をスキャナで読み取る場合のスキャナ読み込み処理の第１実施形態を説明するためのフローチャートである。
【図１７】原稿画像をスキャナで読み取る場合のスキャナ読み込み処理の第２実施形態を説明するためのフローチャートである。
【図１８】原稿画像をスキャナで読み取る場合のスキャナ読み込み処理の第３実施形態を説明するためのフローチャートである。
【図１９】原稿画像をスキャナで読み取る場合のスキャナ読み込み処理の第４実施形態を説明するためのフローチャートである。
【図２０】原稿画像を外部機器から入力する場合の外部画像データ処理の第１実施形態を説明するためのフローチャートである。
【図２１】原稿画像を外部機器から入力する場合の外部画像データ処理の第２実施形態を説明するためのフローチャートである。
【図２２】原稿画像を外部機器から入力する場合の外部画像データ処理の第３実施形態を説明するためのフローチャートである。
【符号の説明】
【０２５８】
Ａ…画像形成装置
２０…メインコントローラ（制御手段）
３０…操作部
４０…プリンタコントローラ（印字手段）
４９…画像処理部（制御手段）
６５…メモリーコントローラ（満杯検知手段）
６６…画像メモリー（蓄積手段）
６８…ＣＰＵ（制御手段）
【手続補正３】
【補正対象書類名】図面
【補正対象項目名】図８
【補正方法】変更
【補正の内容】
【図８】
2005110312.tif 000001